(57)【特許請求の範囲】
【請求項１】
本体部内に配置した複数のスイッチの作動部ごとに、上方へ膨出した押圧用エンボス部
にてスイッチ操作部を形成した表面シートが前記本体部の上面部に貼付された加熱調理器
において、前記押圧用エンボス部にそれぞれ対応する第２押圧エンボス部を膨出形成する
と共に、隣接する第２押圧エンボス部の複数が上方へ膨出した一つの台座エンボス部に間
隔を存して配置された防水フィルムを備え、前記台座エンボス部が嵌り合う開口が前記本
体部の上面部に形成され、前記表面シートと前記防水フィルムが前記本体部の上面部を上
下で挟む配置にて、前記台座エンボス部が前記開口に嵌り合った状態を保つことを特徴と
する加熱調理器。
【請求項２】
前記台座エンボス部が前記本体部の上面部に形成した開口に嵌り合った状態で、前記第
２押圧エンボス部の上面が前記表面シートに形成した押圧用エンボス部の裏側に当接また
は近接することを特徴とする請求項１に記載の加熱調理器。
【請求項３】
前記表面シートと前記防水フィルムが前記本体部の上面部の上下面に貼付された状態で
、前記第２押圧エンボス部が前記本体部の上面部よりも上方へ突出した状態で、前記表面
シートに形成した押圧用エンボス部の裏側に当接または近接することを特徴とする請求項
１または２に記載の加熱調理器。
【発明の詳細な説明】
【技術分野】
【０００１】
本発明は、本体部の上面部に調理用のスイッチ操作部を備えた加熱調理器に関し、特に
、調理用スイッチに対応して、本体部の上面部にスイッチ操作部を形成した表面シートが
貼付されたものにおいて、この表面シートの裏側へ煮汁等が侵入しても、スイッチ等の電
気回路への支障とならないようにする技術に関する。
【背景技術】
【０００２】
トッププレート枠の前面側に設けた開口部の上面にボタンエンボス部を形成した操作表
示シートを接着剤により貼り付け、開口部の下面にキートップや制御回路基板を納めた操
作部ユニットを配置しており、操作表示シートに、掃除する際や湯沸し時、煮炊き調理時
に水や吹きこぼれた湯，鍋から溢れ出た煮汁等が掛かった場合に、操作表示シートの接着
剤が、開口部を通してその下面の制御回路基板の電子部品に水が浸入するのを防止する役
目をしているが、その防水役である接着剤が使用環境や使用寿命、さらには操作表示シー
トの貼付け時のばらつき等により開口部の周囲のプレート枠に完全に密着させることが難
しく、不完全接着部分が生じたり局部的に剥がれてしまう場合がある。この問題を解決す
るためには、プレート枠に操作表示シートを接着する接着剤の接着力をアップさせればよ
いが、接着力をアップさせて完全密封の防水性能を得ることには限界があり、操作表示ユ
ニットに外部からの水や湯，鍋から溢れ出た煮汁等、液体の浸入を防止することは極めて
難しかった。
【０００３】
このような点に鑑みたものとして、本体上面に配置されたトッププレートと、該トップ
プレートの周囲を囲むトッププレート枠と、該トッププレート枠の上面に貼付けられた複
数個の操作エンボス部を有する操作表示シートと、該操作表示シートと対向するようにト
ッププレート枠の下部に配置された操作表示駆動部を備えた加熱調理器において、前記ト
ッププレート枠の前記操作エンボス部と対向する位置に開口部を設け、該開口部の下面で
前記操作表示駆動部の上面に該操作表示駆動部の上面を覆うようにゴム系材料からなる防
水カバーを配置したものがある（特許文献１参照）。
【０００４】
この特許文献１のものは、操作表示駆動部１５の上面を覆うように、新たにゴム系材料
からなる防水カバー２３を配置したものである。この防水カバー２３は、透明または半透
明のものが用いられ、周囲及び縦横に補強用のリブ２３ａが施され、前記操作表示シート
１２の操作エンボス部１２ａと対向するトッププレート枠６の開口部直下に突起部２３ｂ
を設け、左右に二分割された操作表示駆動部１５の駆動部基板１７を別々にその上面から
覆うように配置されている。
【０００５】
この防水カバー２３は、操作表示駆動部１５に表示灯１８ａや液晶表示器１８ｂ、操作
入力ボタン２２、配線カードケーブル／コネクタ１９、配線部品／コネクタ２０等の配線
部材を組み込み、配線部材を配線用穴２１を通して駆動部収納ケース１６の底部から下側
に出し、誘導加熱コイル等の各種部品に配線した後、二分割された駆動部基板１７を上か
ら蓋をするように配置している。
【先行技術文献】
【特許文献】
【０００６】
【特許文献１】特開２００８−２４１０８７号公報
【発明の概要】
【発明が解決しようとする課題】
【０００７】
このように、防水カバー２３は、ゴム系材料からなるため、周囲及び縦横に形成した補
強用のリブ２３ａで補強が必要であり、また、操作入力ボタン２２の押圧操作をし易くす
るために、各操作入力ボタン２２に対応して、操作表示シート１２の操作エンボス部１２
ａと対向する突起部２３ｂを形成している。
【０００８】
そして、操作入力ボタン２２に対応して防水カバー２３に形成した突起部２３ｂが個々
に侵入するように、トッププレート枠６に開口６ｂが形成され、個々の突起部２３ｂがこ
の開口６ｂを貫通して上方へ突出し、操作表示シート１２の操作エンボス部１２ａと対向
している。
【０００９】
このように、特許文献１のものでは、防水カバー２３がゴム系材料からなるため、補強
用のリブ２３ａや、操作入力ボタン２２に対応して操作表示シート１２の操作エンボス部
１２ａと対向する突起部２３ｂが必要であり、形状自体を複雑な形状に形成する必要があ
る。
【００１０】
本発明は、調理用の各スイッチの押圧作動部に対応して、本体部の上面部に上方へ膨出
した押圧用エンボス部にてスイッチ操作部を形成した表面シートが貼付された加熱調理器
において、この表面シートの裏側へ煮汁等が侵入しても、スイッチ等の支障とならないよ
うにする技術として、特許文献１のようなゴム系材料からなる防水カバー２３によって防
水するのではなく、ＰＥＴフィルムのような薄くても比較的腰のある防水フィルムでもっ
て、基板に取り付けたスイッチを覆う。
【００１１】
この場合、表面シートに膨出し形成した押圧用エンボス部にそれぞれ対応する第２エン
ボス部を防水フィルムに膨出形成すると共に、隣接する第２エンボス部の複数が上方へ膨
出した一つの台座エンボス部に間隔を存して配置され、この台座エンボス部が嵌り合う開
口を本体部の上面部に形成し、本体部の上面部を上下で挟む状態に表面シートと防水フィ
ルムが配置された構成にて、この防水フィルムが薄いＰＥＴフィルムであっても、押圧操
作によって目的のスイッチのみの作動が達成され、スイッチ動作の安定化が得られ、且つ
、特許文献１の複雑な形状をなすゴム系材料からなる防水カバー２３を用いることなく、
スイッチ等への液体の浸入防止効果が更に向上する構造を提供するものである。
【課題を解決するための手段】
【００１２】
第１発明は、本体部内に配置した複数のスイッチの作動部ごとに、上方へ膨出した押圧
用エンボス部にてスイッチ操作部を形成した表面シートが前記本体部の上面部に貼付され
た加熱調理器において、前記押圧用エンボス部にそれぞれ対応する第２押圧エンボス部を
膨出形成すると共に、隣接する第２押圧エンボス部の複数が上方へ膨出した一つの台座エ
ンボス部に間隔を存して配置された防水フィルムを備え、前記台座エンボス部が嵌り合う
開口が前記本体部の上面部に形成され、前記表面シートと前記防水フィルムが前記本体部
の上面部を上下で挟む配置にて、前記台座エンボス部が前記開口に嵌り合った状態を保つ
ことを特徴とする。
【００１３】
第２発明は、第１発明において、前記台座エンボス部が前記本体部の上面部に形成した
開口に嵌り合った状態で、前記第２押圧エンボス部の上面が前記表面シートに形成した押
圧用エンボス部の裏側に当接または近接することを特徴とする。
【００１４】
第３発明は、第１発明または第２発明において、前記表面シートと前記防水フィルムが
前記本体部の上面部の上下面に貼付された状態で、前記第２押圧エンボス部が前記本体部
の上面部よりも上方へ突出した状態で、前記表面シートに形成した押圧用エンボス部の裏
側に当接または近接することを特徴とする。
【発明の効果】
【００１５】
この場合、防水フィルムが、台座エンボス部を形成しない単に一枚の平坦状の薄いＰＥ
Ｔフィルムであれば、押圧用エンボス部の押圧に伴って隣接する第２押圧エンボス部の一
つが強く押圧された時、その隣りの第２押圧エンボス部も引っ張られて下方へ移動するた
め、操作目的のスイッチと共に、その隣りのスイッチも作動することが懸念される。
【００１６】
しかし、本発明では、防水フィルムが薄いＰＥＴフィルムであっても、隣接する第２押
圧エンボス部の一方が押圧されたとき、隣りの第２押圧エンボス部に引っ張り作用が生じ
ても、膨出形成された第２押圧エンボス部と台座エンボス部による上下方向の撓みによっ
て、その隣りのキートップ４６Ａが下方へ押されることが抑制される。隣りの第２押圧エ
ンボス部に生じる引っ張り作用を軽減する緩衝部となり、操作目的のスイッチのみが作動
し、その隣りのスイッチが作動することが防止されることｔなり、安定したスイッチ動作
が得られるものとなる。
【００１７】
また、本発明では、表面シートと防水フィルムが本体部の上面部の上下面に貼付されて
いるため、表面シートの裏側に侵入した液体は、防水フィルムと本体部の上面部との接着
部にて阻止され、この部分が第２の防水部として作用し、防水効果が向上したものとなる
。
【図面の簡単な説明】
【００１８】
【図１】本発明に係る加熱調理器を台所設備台に組み込む関係を示す斜視図である。
【図２】本発明に係る加熱調理器を台所設備台に組み込んだ状態を示す斜視図である。
【図３】本発明に係る加熱調理器の天板を取り外した内部を示す斜視図である。
【図４】本発明に係る加熱調理器の上面配置の操作部の分解斜視図である。
【図５】本発明に係る加熱調理器の上面配置の操作部を分解した縦断側面図である。
【図６】本発明に係る加熱調理器の上面配置の操作部の一部拡大で示す縦断側面図である。
【図７】本発明に係る加熱調理器の操作ケースに形成したキートップ部分の斜視図である。
【発明を実施するための形態】
【００１９】
本発明では、本体部内に配置した複数のスイッチの作動部ごとに、上方へ膨出した押圧
用エンボス部にてスイッチ操作部を形成した表面シートが前記本体部の上面部に貼付され
た加熱調理器において、前記押圧用エンボス部にそれぞれ対応する第２押圧エンボス部を
膨出形成すると共に、隣接する第２押圧エンボス部の複数が上方へ膨出した一つの台座エ
ンボス部に間隔を存して配置された防水フィルムを備え、前記台座エンボス部が嵌り合う
開口が前記本体部の上面部に形成され、前記表面シートと前記防水フィルムが前記本体部
の上面部を上下で挟む配置にて、前記台座エンボス部が前記開口に嵌り合った状態を保つ
構成である。
【００２０】
本発明は、加熱調理器としての加熱部が、例えば、２個の誘導加熱コイルである場合、
或いは誘導加熱コイルとラジエントヒータの組み合わせである場合のように、調理用の加
熱部が複数である場合であり、以下に示す実施例では、加熱部が、誘導加熱コイルとラジ
エントヒータの組み合わせである場合について記載するものとする。
【実施例１】
【００２１】
以下、本発明の実施例として、一つの誘導加熱コイル４と一つのラジエントヒータ５を
備えた加熱調理器１の実施形態について、添付図面を参照して詳細に説明する。図１は、
本発明の第１実施形態に係る加熱調理器１が台所設備台７に取り付けられる状態を示す斜
視図である。加熱調理器１は、システムキッチンや、調理台や流し台のような台所設備台
７に、ドロップイン方式によって組み込まれる形態であり、図１乃至図３に示すように、
略矩形状ケースを形成した本体部２と、本体部２の上面部に取り付けた天板枠６によって
支持された耐熱ガラス製の天板３を備え、本体部２の内部には、天板３に対応してその下
方空間に前後に間隔を保って設置された熱源となる誘導加熱コイル４及びラジエントヒー
タ５を備えている。
【００２２】
図３に示すように、本体部２は、底壁２Ａと周囲四方を囲むよう底壁２Ａに取り付けた
側壁２Ｂによって上面開口の略矩形状ケースを形成している。また、耐熱ガラス製の天板
３は、本体部２の上面開口を覆うように側壁２Ｂにネジにて取り付けた天板枠６によって
、周縁部が支持された状態である。
【００２３】
誘導加熱コイル４は、合成樹脂製の支持枠４Ａの上面に取り付けられ、本体部２の底壁
２Ａに水平状態に取り付けた合成樹脂製ベース部材２０に支持されている。この支持の構
成は、ベース部材２０から立設する複数の支柱に、コイルバネによって支持され、支持枠
４Ａの周縁フランジが耐熱ガラス製の天板３の下面へ当接するように、上方へ付勢されて
いる。
【００２４】
また、ラジエントヒータ５は、上面開口の耐熱性の支持枠５Ａ内に取り付けられ、底壁
２Ａから立ち上がるように取り付けた支持台１８の上面に、支持枠５Ａを複数個所でコイ
ルバネの支持部材１９によって支持され、支持枠５Ａが耐熱ガラス製の天板３の下面へ当
接するように、上方へ付勢されている。
【００２５】
誘導加熱コイル４及びラジエントヒータ５にそれぞれ対応する天板３には、鍋等の調理
容器を載置する場所を明示するために、円形状の調理容器載置部８及び９が印刷などによ
って表示されている。実施例では、誘導加熱コイル４は、２００ボルト、１．５Ｋｗの発
熱量のものであり、ラジエントヒータ５は、２００ボルト、１．２Ｋｗの発熱量のもので
あるが、これに限定されない。
【００２６】
図示の台所設備台７は流し台７の形態で示しており、シンク１０と横並びに加熱調理器
１の本体部２が落とし込まれる挿入孔１１が、台所設備台７（流し台７）の上面板７Ａを
貫通形成されている。これによって、挿入孔１１に本体部２を落とし込む、所謂ドロップ
イン方式によって、挿入孔１１の周縁の上面板７Ａに天板枠６の下側が係止する状態に保
持される。この保持状態で、加熱調理器１は、本体部２をボルトネジやその他の手段によ
って、外れないように台所設備台７（流し台７）に固定される。
【００２７】
台所設備台７（流し台７）の上面板７Ａの下方は、物品収納空間とするために、シンク
９の下側の物品収納空間１２Ｂの前面は、開閉扉８Ａ、８Ｂで開閉可能であり、加熱調理
器１の下側の物品収納空間１２Ａの前面は、開閉扉８Ｃで開閉可能である。上記のように
、挿入孔１１にドロップインされた加熱調理器１は、本体部２の底壁２Ａが物品収納空間
１２Ａの上部に露出状態である。
【００２８】
本体部２内には、誘導加熱コイル４及びラジエントヒータ５の通電制御回路（図示せず
）の放熱部材２７を備える回路基板２５が、ベース部材２０の上面に略水平に配置され、
また、本体部２内には、誘導加熱コイル４及びラジエントヒータ５の冷却や、放熱部材２
７の冷却のために、誘導加熱コイル４の下方に冷却用ファン（図示せず）が配置されてい
る。この冷却用ファンの送風によって各部が冷却された後の空気は、天板３の下面に沿っ
て横方向へ流れてラジエントヒータ５を冷却した後、本体部２の側壁２Ｂの一部である背
壁２Ｂに形成した排気孔３８から背壁２Ｂの裏側へ流れ、背壁２Ｂの裏側に形成した排気
ダクト３９から、排気部１６を形成する多数の排気孔１７Ａを形成した排気カバー１７を
通過して放出される。
【００２９】
加熱調理器１は、天板３の手前側（前側）で天板枠６の前部に上面配置となるように、
誘導加熱コイル４及びラジエントヒータ５の通電制御や発熱制御等を行うためのスイッチ
操作部１３とそれに対応したＬＥＤ表示部１４等を備えた操作部１５を備えている。本体
部２内には、操作部１５の下方に、操作基板４０が合成樹脂製の操作ケース４１内にネジ
にて、略水平状態に取り付けられて収納されている。操作基板４０の上面には、スイッチ
操作部１３に対応して、誘導加熱コイル４及びラジエントヒータ５の通電制御や発熱制御
等を行うための複数の調理用のスイッチ４２と、ＬＥＤ表示部１４に対応して、この各ス
イッチ４２のＯＮ―ＯＦＦによって発光・非発光となるＬＥＤ４４が、取り付けられてい
る。
【００３０】
各スイッチ４２には、ＯＮ―ＯＦＦ用作動部４３が上部に設けられ、操作ケース４１に
は、各スイッチ４２の作動部４３に対応して、上下動自在な可動部であるキートップ４６
が形成されている。キートップ４６は、図８に示すように、操作ケース４１の上壁と一体
成形した左右一対の弾性部４６Ｐに連結状態に一体成形され、弾性部４６Ｐによって、上
下動可能に支持されている。また、操作ケース４１には、各ＬＥＤ４４に対応して、ＬＥ
Ｄ収納筒部４７が形成されている。
【００３１】
操作基板４０が操作ケース４１に取り付けられた状態で、各スイッチ４２の作動部４３
がキートップ４６の下面に当接または近接状態となる。実施例では、各スイッチ４２の作
動部４３の上面とキートップ４６の下面とは、０．３ｍｍの隙間を存して対峙している。
また、各ＬＥＤ４４は、各ＬＥＤ収納筒部４７内に配置された状態となり、隣り合うＬＥ
Ｄ４４の光が遮断された状態となる。
【００３２】
スイッチ操作部１３とＬＥＤ表示部１４は、本体部の上面部に相当する天板枠６の前部
上面に貼付される合成樹脂製の表面シート６０に形成されており、上下方向に撓む押圧用
エンボス部として上方へ膨出形成されたスイッチ操作部１３は、文字や図柄等によって操
作部を表示し、後述のように、若干上方へ膨出した形状に成形されている。表面シート６
０は、ＬＥＤ表示部１４がＬＥＤ４４ごとに光透過状にて形成され、その他の部分は不透
明状に形成され、ＬＥＤ表示部１４は、対応するＬＥＤ４４の光のみが透過するように分
離して配置されている。
【００３３】
操作部１５に対応して、天板枠６と操作ケース４１との間に、厚さ０．１ｍｍ程度の合
成樹脂製のフィルム状の薄い防水シート５０が配置される。防水シート５０は、少なくと
も各スイッチ４２に対応する各キートップ４６と、各ＬＥＤ４４が収納されたＬＥＤ収納
筒部４７の全体を覆う大きさであり、実施例では、操作ケース４１の上面全体を覆う大き
さであり、天板枠６の前部下面に貼付される。
【００３４】
スイッチ４２は、機能上関連するスイッチ４２を一つの組として横並びに隣接配置して
おり、図に示す形態では、第１の組は、左側の３個の隣接配置のキートップ４６（図４で
括弧内に４６Ａとして示すもの）に対応するスイッチ４２の組であり、第２の組は、その
右側に離れて４個の隣接配置のキートップ４６（図４で括弧内に４６Ｂとして示すもの）
に対応するスイッチ４２の組であり、更に第３の組は、その右側に離れて１個の隣接配置
のキートップ４６（図４で括弧内に４６Ｃとして示すもの）に対応するスイッチ４２の組
として構成している。
【００３５】
操作部１５に対応して、本体部の上面部に相当する天板枠６には、スイッチ４２に対応
する貫通孔４５と、ＬＥＤ４４に対応する貫通孔４８が形成されている。前記のように、
スイッチ４２は、機能上関連するスイッチ４２を一つの組として配置しており、第１の組
のスイッチ４２に対応するキートップ４６（４６Ａ）は、第１の貫通孔４５（図４で括弧
内に４５Ａとして示すもの）に対応し、第２の組のスイッチ４２に対応するキートップ４
６（４６Ｂ）は、第２の貫通孔４５（図４で括弧内に４５Ｂとして示すもの）に対応し、
第３の組のスイッチ４２に対応するキートップ４６（４６Ｃ）は、第３の貫通孔４５（図
４で括弧内に４５Ｃとして示すもの）に対応する構成である。
【００３６】
図に示す実施例では、第１の組の３個のスイッチ４２（図４で括弧内に示すキートップ
４６Ａに対応するもの）は、ラジエントヒータ５の通電ＯＮ−ＯＦＦする１個のスイッチ
と、ラジエントヒータ５の発熱をアップ及びダウンさせるための２個のスイッチで構成し
ている。また、第２の組の４個のスイッチ４２（図４で括弧内に示すキートップ４６Ｂに
対応するもの）は、誘導加熱コイル４の通電ＯＮ−ＯＦＦする１個のスイッチと、誘導加
熱コイル４の発熱を強・中・弱を選択するための３個のスイッチで構成している。また、
第３の組の１個のスイッチ４２（図４で括弧内に示すキートップ４６Ｃに対応するもの）
は、加熱調理器１の電源のＯＮ−ＯＦＦスイッチである。
【００３７】
操作ケース４１の上面には、第１の組の３個のスイッチ４２に対応する３個のキートッ
プ４６（図４  で括弧内に示すキートップ４６Ａ）が配置される部分を若干上方へ膨出形
成した第１の台座部４９Ａを形成し、また、第２の組の４個のスイッチ４２に対応する４
個のキートップ４６（図４で括弧内に示すキートップ４６Ｂ）が配置される部分を若干上
方へ膨出形成した第２の台座部４９Ｂを形成し、また、第３の組の１個のスイッチ４２に
対応する１個のキートップ４６（図４で括弧内に示すキートップ４６Ｃ）が配置される部
分を若干上方へ膨出形成した第３の台座部４９Ｃを形成している。
【００３８】
第１の台座部４９Ａ、第２の台座部４９Ｂ、及び第３の台座部４９Ｃがそれぞれ嵌り合
う大きさ及び形状に、防水シート５０には、上下方向に撓む第１の台座エンボス部５１Ａ
、上下方向に撓む第２の台座エンボス部５１Ｂ、及び上下方向に撓む第３の台座エンボス
部５１Ｃが、上方へ膨出形成されている。この台座エンボス部５１Ａ、５１Ｂ、及び５１
Ｃは、それぞれ対応する第１の貫通孔４５Ａ、第２の貫通孔４５Ｂ、及び第３の貫通孔４
５Ｃに嵌り合う大きさ及び形状であり、好ましくは、第１の台座エンボス部５１Ａは、長
方形状の第１の貫通孔４５Ａに略一致する大きさ及び形状であり、第２の台座エンボス部
５１Ｂは、長方形状の第２の貫通孔４５Ｂに略一致する大きさ及び形状であり、第３の台
座エンボス部５１Ｃは、正方形状の第３の貫通孔４５Ｃに略一致する大きさ及び形状であ
る。
【００３９】
防水シート５０の第１の台座エンボス部５１Ａには、対応する第１の台座部４９Ａに含
まれる第１の組の３個のキートップ４６Ａの上端部が嵌り込む上下方向に撓む第２押圧エ
ンボス部５２Ａが、上方へそれぞれ膨出形成されている。また、第２の台座エンボス部５
１Ｂには、対応する第２の台座部４９Ｂに含まれる第２の組の４個のキートップ４６Ｂの
上端部が嵌り込む上下方向に撓む第２押圧エンボス部５２Ｂが、それぞれ上方へ膨出形成
されている。更に、第３の台座エンボス部５１Ｃには、対応する第３の台座部４９Ｃに含
まれる第３の組の１個のキートップ４６Ｃの上端部が嵌り込む上下方向に撓む第２押圧エ
ンボス部５２Ｃが、上方へ膨出形成されている。
【００４０】
上記の構成において、台座エンボス部５１Ａ、５１Ｂ、及び５１Ｃが、下方からそれぞ
れ対応する第１の貫通孔４５Ａ、第２の貫通孔４５Ｂ、及び第３の貫通孔４５Ｃに嵌り合
う状態に、防水シート５０を天板枠６の前部下面に貼付した後、操作ケース４１をネジ孔
４１Ａに螺合するネジ５３で天板枠６に固定する。この状態で、第１の台座部４９Ａ、第
２の台座部４９Ｂ、及び第３の台座部４９Ｃは、それぞれ対応する第１の台座エンボス部
５１Ａ、第２の台座エンボス部５１Ｂ、及び第３の台座エンボス部５１Ｃに下方から嵌り
合うと共に、第２押圧エンボス部５２Ａに下方から第１の組の３個のキートップ４６Ａの
上端部が嵌り込み、第２押圧エンボス部５２Ｂに下方から第２の組の４個のキートップ４
６Ｂの上端部が嵌り込み、第２押圧エンボス部５２Ｃに下方から第３の組の１個のキート
ップ４６Ｃの上端部が嵌り込む。
【００４１】
この状態で、表面シート６０が天板枠６の前部上面の所定位置である平坦な前部上面６
Ｔに貼付される。表面シート６０のスイッチ操作部１３は、第２押圧エンボス部５２Ａ、
５２Ｂ、及び５２Ｃにそれぞれ対応する部分が、若干上方へ膨出した形状に成形されて第
１押圧用エンボス部を形成しており、スイッチ操作部１３がそれぞれ第２押圧エンボス部
５２Ａ、５２Ｂ、及び５２Ｃにそれぞれ対応する所定位置である前部上面６Ｔに表面シー
ト６０が貼付された状態で、各スイッチ操作部１３の裏側に、それぞれ対応する第２押圧
エンボス部５２Ａ、５２Ｂ、及び５２Ｃが、当接または近接する。この状態は、図６に示
す。スイッチ操作部１３の中央部には、指でタッチしたときの感触として、上方へ突出し
たボッチ１３Ａを形成している。
【００４２】
なお、表面シート６０を予め、天板枠６の前部上面の所定位置である前部上面６Ｔに貼
付し、また、防水シート５０を天板枠６の前部下面に貼付した後、操作ケース４１をネジ
５３で天板枠６に固定する順序でもよく、図６に示す構成となれば、組み立て順序は限定
されない。
【００４３】
このようにして組み立てられた状態は、図６に示す。この組み立て状態において、台座
部４９Ａ、４９Ｂ、及び４９Ｃの平坦な上面は、、表面シート６０が貼付される天板枠６
の平坦な前部上面６Ｔと実質同一レベルとなり、キートップ４６（４６Ａ〜４６Ｃ）の上
端面４６Ｔは、天板枠６の前部上面６Ｔより若干高くなるレベルとなるように構成される
。それによって、第２押圧エンボス部５２Ａ、５２Ｂ、及び５２Ｃの上面は、天板枠６の
前部上面６Ｔよりも防水シート５０の厚さ分だけ更に高くなる。これに対応するように、
表面シート６０のスイッチ操作部１３は、上方へ膨出した押圧用エンボス部を成形してお
り、第２押圧エンボス部５２Ａ、５２Ｂ、及び５２Ｃの上面が、押圧用エンボス部である
スイッチ操作部１３の裏面に当接または近接状態となる。
【００４４】
このような構成によって、図５に点線の矢印で示すように、表面シート６０の端部から
表面シート６０の裏側へ侵入した煮汁などの液体が、貫通孔４５、即ち、第１の貫通孔４
５Ａ、第２の貫通孔４５Ｂ、または第３の貫通孔４５Ｃへ流入しても、防水シート５０に
よって、各キートップ４６Ａ及び各スイッチ４２が覆われているため、煮汁などの液体が
各スイッチ４２に到達せず、スイッチ４２が誤動作することがない。また、第１の貫通孔
４５Ａ、第２の貫通孔４５Ｂ、または第３の貫通孔４５Ｃへ流入した煮汁などの液体が、
操作基板４０に到達せず、侵入した煮汁などの液体による操作基板４０の短絡による誤動
作もない。また、煮汁などの液体がＬＥＤ４４に対応する貫通孔４８へ流入した場合も、
ＬＥＤ４４及び操作基板４０に到達せず、同様の効果がある。
【００４５】
また、防水シート５０には、それぞれ上下方向に撓む、第１の台座エンボス部５１Ａ、
第２の台座エンボス部５１Ｂ、及び第３の台座エンボス部５１Ｃが、上方へ膨出形成され
ている。もし、防水シート５０が平坦なままであれば、例えば、第１の組の３個のキート
ップ４６Ａの一つが下方へ押されたとき、それに伴って防水シート５０が引っ張られて、
その隣りのキートップ４６Ａが下方へ移動し、この隣りのキートップ４６Ａに対応するス
イッチ４２の作動部４３が押されてスイッチが作動することが生じる。
【００４６】
しかし、本発明では、例えば、第１の台座エンボス部５１Ａには、対応する第１の台座
部４９Ａに含まれる第１の組の３個のキートップ４６Ａの上端部が嵌り込み上下方向に撓
む第２押圧エンボス部５２Ａが、上方へそれぞれ膨出形成されているため、３個のキート
ップ４６Ａに対応する押圧用エンボス部であるスイッチ操作部１３のうちの一つが下方へ
押されても、それに対応する第２押圧エンボス部５２Ａの膨らみ、及び第１の台座エンボ
ス部５１Ａの膨らみによって、上下方向の撓みが生じ、その隣りのキートップ４６Ａが下
方へ押されることが抑制される。このため、この隣りのキートップ４６Ａに対応するスイ
ッチ４２の作動部４３が押されてスイッチが作動することが防止される。このように安定
したスイッチ動作が得られるものとなる。第２の台座部５２Ｂについても同様である。
【００４７】
なお、上記のように、操作基板４０が操作ケース４１に取り付けられた状態で、各スイ
ッチ４２の作動部４３の上面とキートップ４６の下面との間に、僅かな隙間（実施例では
０．３ｍｍの隙間）を存して対峙していることによって、隣接するスイッチの一方が押さ
れたことにより生じる台座エンボス部５１Ａの撓みによって、他方のスイッチが押される
こととなる時点を、この隙間（実施例では０．３ｍｍの隙間）が緩衝距離として作用し、
隣りのスイッチの誤動作をより確実に防止できるものとなる。
【００４８】
また、第１の組のスイッチ４２、第２の組のスイッチ４２、第３の組のスイッチ４２の
それぞれの押圧用エンボス部１３（スイッチ操作部１３）が、それぞれ別個の第１の台座
エンボス部５１Ａ、第２の台座エンボス部５１Ｂ、第３の台座エンボス部５１Ｃに対応す
る関係であるため、例えば、第１の組の押圧用エンボス部１３の押圧作用が、他の組の台
座エンボス部５１Ｂ、５１Ｃに影響しないので、スイッチ操作による他のスイッチへの悪
影響が及ばない構成となる。
【産業上の利用可能性】
【００４９】
本発明に係る加熱調理器は、上記実施例に示した構成に限定されず、種々の形態のもの
に適用できるものであり、本発明の技術範囲において種々の形態を包含するものである。
【符号の説明】
【００５０】
１・・・・・加熱調理器
２・・・・・本体部
２Ａ・・・・本体部の底壁
３・・・・・天板
４・・・・・誘導加熱コイル
５・・・・・ラジェントヒータ
６・・・・・天板枠
６Ｔ・・・・天板枠の前部上面
７・・・・・台所設備台（流し台）
７Ａ・・・・上面板
８、９・・・調理容器載置部
１０・・・・シンク
１１・・・・挿入孔
１２Ａ、１２Ｂ・・・・物品収納空間
１３・・・・操作スイッチ部
１４・・・・ＬＥＤ表示部
１５・・・・操作部
１６・・・・排気部
１７・・・・排気カバー
１９・・・・コイルバネの支持部材
２０・・・・ベース部材
２５・・・・回路基板
２７・・・・放熱部材
３８・・・・排気孔
４０・・・・操作基板
４１・・・・操作ケース
４２・・・・スイッチ
４３・・・・スイッチの作動部
４４・・・・ＬＥＤ
４５・・・・貫通孔
４６・・・・キートップ
４８・・・・貫通孔
４９Ａ・・・第１の台座部
４９Ｂ・・・第２の台座部
４９Ｃ・・・第３の台座部
５０・・・・防水シート
５１Ａ・・・第１の台座エンボス部
５１Ｂ・・・第２の台座エンボス部
５１Ｃ・・・第３の台座エンボス部
５２Ａ・・・第２押圧エンボス部
５１Ｂ・・・第２押圧エンボス部
５１Ｃ・・・第２押圧エンボス部
５３・・・・ネジ
６０・・・・表面シート
【図１】
0005456512.tif 000002
【図２】
0005456512.tif 000003
【図３】
0005456512.tif 000004
【図４】
0005456512.tif 000005
【図５】
0005456512.tif 000006
【図６】
0005456512.tif 000007
【図７】
0005456512.tif 000008